(57)【特許請求の範囲】
【請求項１】
ＦＭスクリーンまたは２４０線以上のＡＭスクリーンを用いて、ＶｉｏｌｅｔＣＴＰにより露光された光重合型の平版印刷版を、現像浴中を搬送しながら現像処理する自動現像機を用いたＶｉｏｌｅｔＣＴＰ対応の現像処理方法であって、
前記自動現像機が、前記現像浴中に、ブラシ毛径が０．０５〜０．０９ｍｍであるブラシ部材を前記平版印刷版の搬送方向に複数本並べてなる擦り用部材を備え、該擦り用部材により前記平版印刷版を擦る工程を有することを特徴とするＶｉｏｌｅｔＣＴＰ対応の現像処理方法。
【請求項２】
前記ＦＭスクリーンのドット径が、２０〜３０μｍの範囲である請求項１に記載のＶｉｏｌｅｔＣＴＰ対応の現像処理方法。
【請求項３】
前記ブラシ部材の毛材の密度が、２０，０００〜３４，０００本／ｃｍ２である請求項１又は請求項２に記載のＶｉｏｌｅｔＣＴＰ対応の現像処理方法。
【発明の詳細な説明】
【技術分野】
【０００１】
本発明はオフセット印刷版の作製に関するものであり、詳細には、ＶｉｏｌｅｔＣＴＰにより露光された感光性平版印刷版の現像処理に用いられる自動現像機を用いた現像処理方法に関する。
【背景技術】
【０００２】
近年、印刷物をよりきれいに仕上げたいとの要望に対し、印刷用網点の配列から画質の向上をはかるための取り組みは幅広く行われている。従来は、いわゆるＡＭ（Ａｍｐｌｉｔｕｄｅ  Ｍｏｄｕｌａｔｉｏｎ）スクリーンと呼ばれる、均等な間隔で配列された点の大きさを変えることで濃淡を表示するスクリーンが使用されていたが、このＡＭスクリーンでは、モアレ、ロゼッタという網点配置の角度因子が影響した画質劣化が生じるという問題があった。このような画質劣化を解決する方法として、網点をランダムに配列することでモアレなどの発生を抑制したＦＭ（Ｆｒｅｑｕｅｎｃｙ  Ｍｏｄｕｌａｔｉｏｎ）スクリーンが提案されている。ＦＭスクリーンは、微小な網点を用いて、ランダムに配置された網点の密度を変化させて濃淡を表示するものであるが、一つ一つの網点（ドット）面積が非常に小さいため、印刷版作製時の網点再現性が不安定で、また、印刷時の管理も難しいため、その利点にも拘わらず、一部で利用されるにとどまっているのが現状である。
【０００３】
一方、近年におけるレーザー、コンピューターの発展は目覚しく、印刷業界においても、コンピューター上で編集した印刷原稿をレーザー光で直接、印刷版に描画するＣＴＰ（Ｃｏｍｐｕｔｅｒ  ｔｏ  Ｐｌａｔｅ）という形で、技術革新が進められている。特に、青色ＬＥＤを利用したバイオレットレーザーの開発に伴って、描画レーザーとしてこのバイオレットレーザーを採用したＶｉｏｌｅｔＣＴＰが注目されている。
このＣＴＰの普及に伴って、印刷版を製版する際の網点再現の安定性が飛躍的に向上し、従来のＰＳ版では難しかったＦＭスクリーンを用いた平版印刷版の製版（作製）を比較的簡便に行うことができるようになり、これによりＦＭスクリーンがより広汎に使用されはじめている。
また、ＣＴＰの普及に伴って、従来に比べて高精細なＡＭスクリーン、例えば、２４０線以上の高精細なＡＭスクリーンが用いられる機会が増えてきている。
【０００４】
ここで、光重合型の平版印刷版の製版に、上記のような、ＶｉｏｌｅｔＣＴＰと、高精細なＡＭスクリーンやＦＭスクリーンと、を組み合わせて用いると、従来の１７５線程度のＡＭスクリーンを用いた場合には発生しなかったような、版上での平網のムラや、網点サイズの面内不均一などが発生し、網点再現性が低下するという問題を有していた。
これは、ＶｉｏｌｅｔＣＴＰの光学設計の特徴として、バイオレットレーザービームにすそを有するため、版面において、画像部周囲の非画像部に所望されない不完全に硬化した個所が生じてしまうために発生する問題である。特に、ＶｉｏｌｅｔＣＴＰに、高精細なＡＭスクリーンやＦＭスクリーンを適用すると、網点周囲長が長くなることから、ビームのすそによるこのような影響を受けやすくなる。
このように非画像部に発生した不完全に硬化した個所を除去する方法として、一般に、現像浴中を搬送中の平版印刷版を、現像ブラシ等の擦り用部材を用いて擦る方法が知られている（例えば、特許文献１参照）。しかしながら、この擦り用部材による版面の擦り力を強くし、除去性を高めただけでは、ブラシの当り具合に不均一性が生じ、かえって平網のムラや、網点サイズの面内での不均一性が発生してしまうという懸念があった。
【特許文献１】特開２００３−１０７７２８号公報
【発明の開示】
【発明が解決しようとする課題】
【０００５】
本発明は、前記従来における問題を解決し、以下の目的を達成することを課題とする。
すなわち、本発明の目的は、ＶｉｏｌｅｔＣＴＰにより露光された光重合型の平版印刷版の現像処理方法であって、現像処理が不均一となることを防止し、優れた網点再現性を達成しうるＶｉｏｌｅｔＣＴＰ対応の自動現像機を用いた現像処理方法を提供することにある。
【課題を解決するための手段】
【０００６】
本発明者らは、鋭意検討の結果、現像浴内に設置される擦り用部材に特定のブラシ部材を用いることにより、現像処理の不均一性を防止し、優れた網点再現性を達成しうることを見出し、本発明を完成した。
【０００７】
本発明のＶｉｏｌｅｔＣＴＰ対応の現像処理方法は、ＦＭスクリーンまたは２４０線以上のＡＭスクリーンを用いて、ＶｉｏｌｅｔＣＴＰにより露光された光重合型の平版印刷版を、現像浴中を搬送しながら現像処理する自動現像機を用いたＶｉｏｌｅｔＣＴＰ対応の現像処理方法であって、
前記自動現像機が、前記現像浴中に、ブラシ毛径が０．０５〜０．０９ｍｍであるブラシ部材を前記平版印刷版の搬送方向に複数本並べてなる擦り用部材を備え、該擦り用部材により前記平版印刷版を擦る工程を有することを特徴とする。
【０００８】
本発明において、ＶｉｏｌｅｔＣＴＰによる露光には、ＦＭスクリーン又は２４０線以上のＡＭスクリーンが適用される。
【０００９】
本発明によれば、ＶｉｏｌｅｔＣＴＰにより露光された光重合型の平版印刷版に対する現像処理において、現像浴への浸漬に加え、上記範囲のブラシ毛径を有する複数本のブラシ部材による擦りを行うことで、画像部に影響を与えることなく、非画像部に発生した不完全に硬化した個所を除去することができる。
【発明の効果】
【００１０】
本発明によれば、ＶｉｏｌｅｔＣＴＰにより露光された光重合型の平版印刷版の現像処理方法であって、現像処理が不均一となることを防止し、優れた網点再現性を達成しうるＶｉｏｌｅｔＣＴＰ対応の自動現像機を用いた現像処理方法を提供することができる。
また、上記の現像処理方法は、ＶｉｏｌｅｔＣＴＰと、高精細なＡＭスクリーンやＦＭスクリーンと、を組み合わせて露光した感光性平版印刷版に適用される。
【発明を実施するための最良の形態】
【００１１】
以下、本発明の現像処理方法を詳細に説明する。
【００１２】
本発明のＶｉｏｌｅｔＣＴＰ対応の現像処理方法は、ＦＭスクリーンまたは２４０線以上のＡＭスクリーンを用いて、ＶｉｏｌｅｔＣＴＰにより露光された光重合型の平版印刷版を、現像浴中を搬送しながら現像処理する自動現像機を用いたＶｉｏｌｅｔＣＴＰ対応の現像処理方法であって、
前記自動現像機が、前記現像浴中に、ブラシ毛径が０．０５〜０．０９ｍｍであるブラシ部材を前記平版印刷版の搬送方向に複数本並べてなる擦り用部材を備え、該擦り用部材により前記平版印刷版を擦る工程を有することを特徴とする。
つまり、本発明のＶｉｏｌｅｔＣＴＰ対応の現像処理方法は、上述の自動現像機を用いて行うことを特徴とする。このため、以下にまとめて説明する。
【００１３】
本発明のＶｉｏｌｅｔＣＴＰ対応の自動現像機（以下、単に「自動現像機」と称する場合がある。）について、図１に示される例示的一態様を示して説明する。図１は、本発明のＶｉｏｌｅｔＣＴＰ対応の自動現像機１００の例示的一態様を示す概略図である。
この態様では、本発明における擦り用部材（ブラシ部材）は、ブラシローラ１４２ａ及び１４２ｂに相当するものである。
なお、図１において示される平版印刷版１０２は、光重合型の平版印刷版であって、支持体上に、光重合型の感光層と、オーバーコート層と、がこの順に設けられてなる構成を有するものである。
【００１４】
図１に示すように、平版印刷版１０２は、ＶｉｏｌｅｔＣＴＰによる露光処理が終了した後、図１の左端に位置する前加熱部１１０へ至るようになっている。
【００１５】
前加熱部１１０では、平版印刷版１０２を水平に保持して搬送するための２個の搬送ローラ対１１２、１１４が配設され、その間にヒータユニット１１６が設けられている。このヒータユニット１１６に対向して平版印刷版１０２の搬送路下側にはガイド板１１８が設けられ、ヒータユニット１１６のヒータ面と平版印刷版１０２との距離を一定に保持するようになっている。
このヒータユニット１１６による加熱によって、平版印刷版１０２は記録層の露光部（画像部）の重合度が増し、印刷に必要な耐刷性を向上させている。
【００１６】
前加熱部１１０の下流側には、前水洗部１２０が設けられており、前加熱が終了した平版印刷版１０２が水平状態で送り込まれるようになっている。
前水洗部１２０には、平版印刷版１０２を水平に保持して搬送するための２個の搬送ローラ対１２２、１２４が配設され、その間の搬送路よりも上側にブラシローラ１２６が配設されている。また、このブラシローラ１２６よりも若干上流側には、スプレーパイプ１２８が配置されており、搬送路方向に向けて水が吐出されるようになっている。ここで、スプレーパイプ１２８から水が吐出され、ブラシローラ１２６が回転（図１の反時計方向回転）している状態で平版印刷版１０２が搬送されてくると、平版印刷版１０２の最上層であるオーバーコート層が湿潤し、ブラシローラ１１６によって除去される。
すなわち、平版印刷版１０２は、このオーバーコート層が除去された状態で、次工程の現像部１３０へ至ることになる。
【００１７】
現像部１３０には、現像液が貯留された現像浴１３２が設けられており、この現像液に平版印刷版１０２を浸漬することで、記録層の未露光部（非画像部）を膨潤させ、該未露光部を取り除くようになっている。
現像部１３０における平版印刷版１０２の挿入口及び排出口のそれぞれの近傍には、搬送ローラ対１３４、１３６が設けられており、搬送ローラ対１３４は、平版印刷版１０２を現像浴１３２へ案内し、搬送ローラ対１３６は、平版印刷版１０２を次工程の後水洗部１３８へ案内する役目を有している。
【００１８】
現像浴１３２には、ガイド板１４０が設けられ平版印刷版１０２は、このガイド板１４０に案内され、大きな円弧を描いて搬送される。この現像浴１３２には、搬送路よりも上側にブラシローラ１４２ａ及び１４２ｂが設けられている。また、このブラシローラ１４２ａに対向して搬送路よりも下側には一対の受けローラ１４４ａ、１４６ａが、また、ブラシローラ１４２ｂに対向して搬送路よりも下側には一対の受けローラ１４４ｂ、１４６ｂが配設されている。これにより、平版印刷版１０２は、ブラシローラ１４２ａと受けローラ１４４ａ、１４６ａとの間と、ブラシローラ１４２ｂと受けローラ１４４ｂ、１４６ｂとの間と、挟持されながら搬送される。
このため、平版印刷版１０２の光重合層には、所定の圧力でブラシローラ１４２ａ及び１４２ｂが当たっており、このブラシローラ１４２ａ及び１４２ｂの回転によって光重合層の未露光部（非画像部）が除去される。
また、非画像部に発生した不完全に硬化した個所も、ブラシローラ１４２ａ及び１４２ｂのブラッシングによって確実に除去される。
【００１９】
後水洗部１３８には、平版印刷版１０２を水平に保持して搬送するための２個の搬送ローラ対１４８、１５０が配設され、その間の搬送路上下方向にそれぞれスプレーパイプ１５２、１５４が配設されている。このスプレーパイプ１５２、１５４からは水洗水が吐出するようになっている。
ここで、平版印刷版１０２が現像部１３０から排出され、後水洗部１３８へ至ると、スプレーパイプ１５２、１５４から水が吐出され、平版印刷版１０２の表裏面が洗浄される。洗浄された平版印刷版１０２は、次工程のフィニッシャー部１５６へと送られる。
【００２０】
フィニッシャー部１５６には、平版印刷版１０２を水平に保持して搬送するための２個の搬送ローラ対１５８、１６０が配設され、その間の搬送路の上側にはスプレーパイプ１６２が配設されている。このスプレーパイプ１６２からはフィニッシャー液（不感脂化液）が吐出するようになっている。
ここで、平版印刷版１０２がフィニッシャー部１５６を水平搬送されている状態で、スプレーパイプ１６２からフィニッシャー液が吐出され、画像形成面をコーティングする。
【００２１】
以上が、平版印刷版１０２の現像処理の工程であり、これらの工程が終了した平版印刷版１０２は、乾燥部（図示省略）へと搬送され、全ての処理が完了する。
【００２２】
ここで、自動現像機１００では、本発明における擦り用部材（ブラシ部材）としてブラシローラ１４２ａ及び１４２ｂが適用されている。以下、このブラシローラ１４２ａ及び１４２ｂの詳細な構成について説明する。なお、本発明におけるブラシ部材として好適なものは、基材の周囲全体に毛材が存在するようなブラシ部材であってもよいし、基材の周囲の一部に毛材が存在するようなブラシ部材であってもよい。
以下、本発明におけるブラシ部材として、円筒形の基材の周囲全体に毛材が存在するようなブラシローラの形態を例にとってより詳細に説明するが、本発明におけるブラシ部材は、このようなブラシローラ以外の形態であってもよい。
【００２３】
本発明におけるブラシ部材は、ブラシ毛径が０．０５〜０．０９ｍｍの範囲であることが必須である。ここで、「ブラシ毛径」とは、ブラシに用いられている毛の直径を指す。
また、このブラシ毛径は、０．０７〜０．０９ｍｍの範囲であることが好ましい。
このブラシ毛径が、０．０５ｍｍよりも細い場合、非画像部に発生した不完全に硬化した個所の除去性が低下する。また、ブラシ毛径が、０．０９ｍｍよりも太い場合も、版面を擦る力が強すぎて、露光部（画像部）にも影響を及ぼし、平網のムラが発生する。
【００２４】
このブラシ部材を構成する毛材としては、天然繊維、人造繊維材、金属繊維などが用いられる。具体的には、以下のような材質の毛材が用いられる。
・天然繊維：植物性繊維、動物性繊維
・人造繊維：ナイロン６、ナイロン６６、ナイロン６・１０、ナイロン１１等のポリアミド系；ポリエチレンテレフタレート、ポリブチレンテレフタレート等のポリエステル系；ポリアクリロントリル、ポリアクリル酸アルキル等のポリアクリル系；ポリプロピレン；ポリスチレン等
・金属繊維：ステンレススチール、真鍮等
【００２５】
また、本発明におけるブラシ部材の毛材の長さ（ブラシ毛長）は、特に限定されないが、通常、３ｍｍ〜５０ｍｍの範囲のものが用いられる。毛長が３ｍｍより短いと、平版印刷版へのあたりが不均一になって、版面にこすり傷をつけやすくなる場合がある。また、毛長が５０ｍｍより長い場合には、長くすることによる現像処理上のメリットがなく、経済的に不利である。
なお、ここで、「ブラシ毛長」とは、図２に示される如く、基材の表面から突出した毛材の長さＬを指す。
【００２６】
また、本発明におけるブラシ部材の毛材の密度、すなわち、ブラシ部材の植毛密度に関しては、用いる毛材の太さ（毛径）に応じて変化するが、一般的には、５０本〜２０万本／ｃｍ2の範囲であることが好ましく、１００本〜５万本／ｃｍ2の範囲であることが更に好ましい。毛材の密度が５０本／ｃｍ2未満であると、擦り部材としての効果が不十分となる場合がある。また、毛材の密度の上限値はブラシ毛径によって決定されるものであり、例えば、毛材の密度が２０万本／ｃｍ2より大きくとなる、ブラシ毛径の選択肢が狭くなる。
【００２７】
更に、本発明におけるブラシ部材がブラシローラである場合、そのローラ径としては、１〜１２ｃｍの範囲であることが好ましく、２〜７ｃｍの範囲であることが更に好ましい。このローラ径とは、ローラ状の基材の直径を示す。ローラ径が１ｃｍ未満であると、擦りが不均一となりやすい。また、ローラ径が１２ｃｍより大きいと、ローラの回転用モータの負荷の点で不利である。
【００２８】
本発明の自動現像機においては、上記のようなブラシ部材が、平版印刷版の搬送方向に複数本並んでいることを必須する。このようにブラシ部材を複数本することで、個々のブラシ部材の擦り力を小さくしても、非画像部に発生した不完全に硬化した個所の除去性が高めることができ、網点再現性を向上させること可能となる。
なお、本発明においては、現像処理効率及び装置設計の観点から、図１に示すように、２本のブラシ部材が並べられていることが好ましい態様である。
このブラシ部材が１本であると、ブラシ毛径が０．０５〜０．０９ｍｍの範囲にあっても、非画像部に発生した不完全に硬化した個所の除去が不十分となり、平網のムラが生じやすい。
また、これらのブラシ部材は、それぞれ同じものを用いてもよいし、異なるものを組み合わせて用いてもよい。
【００２９】
次に、本発明において用いられるＶｉｏｌｅｔＣＴＰについて説明する。ＶｉｏｌｅｔＣＴＰとは、青色ＬＥＤを利用したバイオレットレーザーの開発にともなって、描画レーザーにバイオレットレーザーを採用したタイプのＣＴＰである。
ここで、バイオレットレーザーは、波長３９０〜４２０ｎｍのレーザーであり、ＤＶＤなどの民生用機器として大量生産されているので、低価格で信頼性が高いという。
ＶｉｏｌｅｔＣＴＰの特徴は、
１．サーマルＣＴＰに比べ内面ドラム方式が作りやすく高速化しやすいこと
２．レーザーなどイメージングユニットが安く、内面ドラムのほうがモーターなども小型化できコストも安くなること
３．また、サーマルに比べ発熱量が少なく、温度変化による版の伸び（見当精度）の問題も少ないこと
４．黄色の安全光のもとで作業が可能であること
などが挙げられる。
【００３０】
このようなＶｉｏｌｅｔＣＴＰとしては、富士写真フイルム（株）製Ｖｘ９６００ＣＴＰ，Ｖｘ６０００ＣＴＰ、ＥＣＲＭ社製ＭＡＫＯ４等が挙げられる。
【００３１】
また、このようなＶｉｏｌｅｔＣＴＰと組み合わせて、網点の状態を制御して階調表現を行う、各スクリーンについて説明する。
従来より用いられている、いわゆるＡＭスクリーンは、ドット（網点）のサイズを変更して諧調表現を行うものであるが、同じサイズの網点が均一な間隔で配置されているため、多色印刷などで複数の網点画像を重ね合わせると、もとの原稿画像との干渉により、モアレといわれるムラを生じたり、ロゼッタと呼ばれる六角形上の模様を生じたりしてしまう問題があった。
また、近年、よりきれいな印刷物の要請が高まり、従来よりも高精細な印刷物を作成する方法が求められていた。
【００３２】
より高精細な印刷物を得る方法の１つとしては、より高線数（より細かな）網点を用いる方法がある。例えば、２４０線や３００線のＡＭスクリーンを用いることで、よりきれいな印刷物を得ることができる。
また、もう１つの方法としては、いわゆるＦＭスクリーンを用いる方法である。ＦＭスクリーンは、網点サイズを変化させるのではなく、網点の配置間隔を変化させることで諧調表現を行うものであるが、網配置をランダムに行うことで、角度の影響を排除しており、先述のモアレ、ロゼッタなどの問題は理論的に発生しない。更に、微細な網点を用いることで、高精細な印刷物を得ることができる。
【００３３】
近年では、コンピューターの進歩の結果、従来障害とされていたＦＭスクリーンにおける網配置パターンの演算も容易に行えるようになったため、網の配列に関しても詳細な計算による最適化がはかられ、使いやすさの向上が達成されている。
ＦＭスクリーンは、市販品としても入手容易であり、例えば、富士写真フイルム（株）製「ＴＡＦＦＥＴＡ」、クレオ（Ｃｒｅｏ）（株）製「Ｓｔａｃｃａｔｏ」、ハイデルベルグ（株）製「ダイアモンドスクリーン」、同「サテンスクリーン」、大日本スクリーン（株）製「ランドット」、同「ランドットＸ」（いずれも商品名）等が知られている。
【００３４】
本発明の方法においては、高品質画像の形成性の観点から、用いられるＦＭスクリーンのドット径は５０μｍ以下のものを用いた場合に本発明の効果が著しく、より好ましくは、２０〜３０μｍの範囲である。
【００３５】
上記のような２４０線以上の高精細なＡＭスクリーンやＦＭスクリーンは、主に各々のメーカーのＶｉｏｌｅｔＣＴＰセッターとの組み合わせて用いることができる。この組み合わせにすることにより、平版印刷版を作成する際の網点再現の安定性が飛躍的に向上したため、高精細画像を形成しうる印刷用原版の作成が比較的簡便に行うことができるという利点を有する。
【００３６】
＜光重合型の平版印刷版＞
次に、本発明において用いられる光重合型の平版印刷版について説明する。
本発明では、上記ＦＭスクリーンまたは２４０線以上のＡＭスクリーンを用いて、ＶｉｏｌｅｔＣＴＰ対応による露光により画像形成が可能である光重合型の平版印刷版であれば、制限なく用いることができる。その光重合型の平版印刷版としては、例えば、いわゆる、フォトポリマー型の平版印刷版が挙げられる。
以下、本発明に好適なフォトポリマー型の平版印刷版について簡単に説明する。
【００３７】
フォトポリマー型の平版印刷版は、アルミニウム板に代表される親水性支持体上に、少なくとも、バイオレットレーザーに感光する感光層を有してなる。
この感光層を構成する光重合性組成物は、付加重合可能なエチレン性不飽和結合含有化合物と、光重合開始剤と、高分子結合剤とを必須成分として含有し、必要に応じて、着色剤、可塑剤、熱重合禁止剤等の種々の化合物を含有する。
このような光重合性組成物は、バイオレットレーザーの照射を受けた場合に、光重合開始剤の作用によりエチレン性不飽和結合含有化合物が付加重合し、硬化するものである。
【００３８】
このエチレン性不飽和結合含有化合物としては、末端エチレン性不飽和結合を少なくとも１個、好ましくは２個以上有する化合物の中から任意に選択することができ、例えば、モノマー、プレポリマー（即ち、２量体、３量体及びオリゴマー）、これらの混合物、これらの共重合体等の化学的形態を有する。モノマーの例としては、不飽和カルボン酸（例えば、アクリル酸、メタクリル酸、イタコン酸、クロトン酸、イソクロトン酸、マレイン酸）と脂肪族多価アルコール化合物とのエステル、不飽和カルボン酸と脂肪族多価アミン化合物とのアミドが挙げられる。またウレタン系付加重合性化合物も好適である。
【００３９】
また、光重合性組成物に含有される光重合開始剤としては、使用する光源の波長により、種々の光重合開始剤、又は２種以上の光重合開始剤の併用系（光開始系）を適宜選択して用いることができ、例えば、特開２００１-２２０７９号公報の段落番号［００２１］〜［００２３］で示されている開始系を用いることが好ましい。
【００４０】
更に、光重合性組成物に含有される高分子結合剤は、光重合性組成物の皮膜形成剤として機能するだけでなく、感光層をアルカリ現像液に溶解させる必要があるため、アルカリ水に可溶性又は膨潤性である有機高分子重合体が使用される。このような高分子結合剤としては、特開２００１-２２０７９号公報の段落番号［００３６］〜［００６３］で示されているものが有用である。
【００４１】
その他、光重合性組成物には、特開２００１-２２０７９号公報の段落番号［００７９］〜［００８８］で示されている添加剤(例えば、塗布性を良化するための界面活性剤)を加えることも好ましい。
【００４２】
また、上記感光層上に、酸素の重合禁止作用を防止するために酸素遮断性のオーバーコート層を設けることが好ましい。オーバーコート層に含有される重合体としては、ポリビニルアルコールその共重合体が挙げられる。
更に、感光層と親水性支持体との間には、特開２００１-２２８６０８号公報の段落番号［０１２４］〜［０１６５］で示されているような中間層若しくは接着層を設けることも好ましい態様である。
【００４３】
上記のような光重合型の平版印刷版を現像処理する際に用いられる現像液又は補充液としては、従来公知のアルカリ水溶液を適宜選択して使用できる。アルカリ水溶液に使用しうるアルカリ剤としては、例えば、ケイ酸ナトリウム、同カリウムなどの無機アルカリ塩やモノメチルアミン、ジメチルアミン、トリメチルアミン、トリエタノールアミン、エチレンイミン、ピリジンなどの有機アルカリ剤が挙げられ、これらは１種単独で用いてもよいし、２種以上を併用してもよい。
【００４４】
本発明の自動現像機により現像処理された後の平版印刷版は、水洗水、界面活性剤等を含有するリンス液、アラビアガムや澱粉誘導体を含む不感脂化液で後処理され、印刷胴にセットして印刷に用いられる。
【００４５】
本発明によれば、ＦＭスクリーンまたは２４０線以上のＡＭスクリーンを用いて、ＶｉｏｌｅｔＣＴＰにより露光された平版印刷版を、上述の自動現像機により現像処理することで、ＶｉｏｌｅｔＣＴＰに起因して発生する非画像部における不完全に硬化した個所を、画像部に影響を及ぼすことなく除去することができる。その結果、本発明によれば、網点再現性の向上させることができる。
ＶｉｏｌｅｔＣＴＰと２４０線以上の高精細なＡＭスクリーンやＦＭスクリーンとを組み合わせることで、上記のような本発明の効果は顕著に表れるものである。
【実施例】
【００４６】
以下、本発明を実施例に従って説明するが、本発明の範囲はこれらの実施例に限定されない。
（実施例１〜２、比較例１〜３）
光重合型の平版印刷版として、富士写真フイルム社製ＰＶ−Ｎを用い、これを以下のようなＶｉｏｌｅｔＣＴＰにより６０％全面平網を露光した。その後、下記の自動現像機にて現像処理した。
【００４７】
［ＶｉｏｌｅｔＣＴＰ］
富士写真フイルム（株）製ＣＴＰセッター  ＬｕｘｅｌＶ９６００ＣＴＰ
・使用スクリーン：富士写真フイルム（株）製ＦＭスクリーン  ＴＡＦＦＥＴＡ２０
［自動現像機］
Ｇ＆Ｊ（株）製ＲａｐｔｏｒＦＬＶ８５の改造機（下記表１に記載の、ブラシ毛径、ブラシローラ径、ブラシ毛長、及び毛材の密度を有するブラシローラを設置したもの）
・現像液／補充液：富士写真フイルム（株）製現像液ＤＶ−２／補充液ＤＶ−２Ｒ
・フィニッシャー液：富士写真フイルム（株）製フィニッシャーＦＰ−２Ｗ
【００４８】
現像処理後の平版印刷版における平網のムラを目視にて評価した。
また、現像処理後の平版印刷版における網点サイズの面内差を、ＧＲＥＴＡＧＭＡＣＢＥＴＨ社製ｉＣＰｌａｔｅIIを用いて測定した。
これらの結果を下記表１に示す。
【００４９】
【表１】
0004777026.tif 000002
【００５０】
表１に明らかなように、本発明の現像処理方法により現像処理された平版印刷版は、平網のムラが若干見られたが実用上問題のないレベルであり、また、網点サイズの面内差については良好であることが判明した。これにより、実施例１及び実施例２では、網点再現性に優れることが分かった。
一方、比較例のように、ブラシ部材が本発明の範囲外である自動現像機を用いた場合、平網のムラ及び／又は網点サイズの面内差が悪化することが分かった。
【００５１】
（実施例３、比較例４〜６）
光重合型の平版印刷版として、富士写真フイルム社製ＰＶ−Ｎを用い、これを以下のようなＶｉｏｌｅｔＣＴＰにより６０％全面平網を露光した。その後、下記の自動現像機にて現像処理した。
【００５２】
［ＶｉｏｌｅｔＣＴＰ］
富士写真フイルム（株）製ＣＴＰセッター  ＬｕｘｅｌＶ９６００ＣＴＰ
・使用スクリーン：富士写真フイルム（株）製ＣｏＲｅ３００
［自動現像機］
Ｇ＆Ｊ（株）製ＲａｐｔｏｒＦＬＶ８５の改造機（下記表１のような、ブラシ毛径、ブラシローラ径、ブラシ毛長、及び毛材の密度を有するブラシローラを設置したもの）
・現像液／補充液：富士写真フイルム（株）製現像液ＤＶ−２／補充液ＤＶ−２Ｒ
・フィニッシャー液：富士写真フイルム（株）製フィニッシャーＦＰ−２Ｗ
【００５３】
現像処理後の平版印刷版における平網のムラ及び網点サイズの面内差について、実施例１と同様の方法で評価した。これらの結果を下記表２に示す。
【００５４】
【表２】
0004777026.tif 000003
【００５５】
表２に明らかなように、本発明の現像処理方法により現像処理された平版印刷版は、平網のムラと網点サイズの面内差との両方に優れることが判明し、網点再現性に優れることが分かった。
一方、比較例のように、ブラシ部材が本発明の範囲外である自動現像機を用いた場合、平網のムラ及び／又は網点サイズの面内差が悪化することが分かった。
【図面の簡単な説明】
【００５６】
【図１】ＶｉｏｌｅｔＣＴＰ対応の自動現像機の例示的一態様を示す概略図である。
【図２】ブラシ毛長を特定するためのブラシ部材の断面図である。
【符号の説明】
【００５７】
１００    自動現像機
１０２    平版印刷版
１１０    前加熱部
１１２、１１４    搬送ローラ対
１１６    ヒータユニット
１１８    ガイド板
１２０    前水洗部
１２２    搬送ローラ対
１２６    ブラシローラ
１２８    スプレーパイプ
１３０    現像部
１３２    現像浴
１３４、１３６    搬送ローラ対
１３８    後水洗部
１４０    ガイド板
１４２ａ、１４２ｂ    ブラシローラ（擦り用部材、ブラシ部材）
１４４ａ、１４４ｂ、１４６ａ、１４６ｂ    受けローラ
１５６    フィニッシャー部
１４８、１５０    搬送ローラ対
１５２    スプレーパイプ
１５６    フィニッシャー部
１５８、１６０    搬送ローラ対
１６２    スプレーパイプ
【図１】
0004777026.tif 000004
【図２】
0004777026.tif 000005